(57)【要約】      （修正有）【課題】横桟端部を切断し、横桟の所定の位置に丸孔の孔開け加工を行っても、同じ形状のボルトを用いて、横桟と継手金具とを固定できるボルトを提供する。【解決手段】頭部４１と、頭部４１の下端面より突出された首部４２と、該首部４２の下端面より突出されたネジ部４３とからなり、前記頭部４１には二個の切欠部４５を形成し、前記首部４２はネジ部４３の外形より大きな外形の非円形断面とする。横桟端部のボルト首部４２の非円形断面形状と同形の孔２１にボルト４を挿通し横桟と継手金具とを固定する場合は、非円形断面の首部４２が孔が係合して、ボルト４とナットＮとが共回りしない。横桟端部を切断し、所定の位置に穿設された丸孔にボルト４を挿通し横桟と継手金具とを固定する場合には、ボルト頭部４１の切欠部４５を、工具で挟みナットを螺着できるため、横桟端部を切断しない場合と同一のボルト４で対応できる。【選択図】図１
2008039058.tif 000002
【特許請求の範囲】
【請求項１】
頭部と、頭部の下端面より突出された首部と、該首部の下端面より突出されたネジ部とからなり、前記頭部は上面がドーム状の湾曲面となされた平面視円形の側部が相対向して切欠されて二個の切欠部が形成され、前記首部はネジ部の外形より大きな外形の非円形断面となされたことを特徴とするボルト。
【発明の詳細な説明】
【技術分野】
【０００１】
本発明は、主として、支柱と柵体とで構成される柵において、支柱に継手金具を介して横桟を接続固定する際に、継手金具と横桟との接続に好適に用いることのできるボルトに関するものである。
【背景技術】
【０００２】
従来、継手金具と横桟との接続に好適に用いることのできるボルトに関する発明は多岐にわたりなされており、例えば特許文献１の図１には、管と管には、それぞれの管端部に頭部がさら又は丸さら等の形状の角根付ボルトの座面を収容し得る凹部と角根部に係合する角孔とがプレス加工して設けられ、その対向管壁に貫通孔が設けられている。また、接続用インナースリーブには、長手方向に平坦部が形成され、その平坦部に直交させて前記管端部の角孔と貫通孔に対応する個所に貫通孔が形成されている。上記接続用インナースリーブに平坦部を設けるのは、接続用インナースリーブに管端部を挿入する際、管端部にプレス成形した凹部が管の内側に突き出ているため、接続用インナースリーブが円形の管ではかなり小径の管を用いなければ円滑な管の挿入ができないためであり、また小径の管を用いて挿入ができたとしても接続後に管ががたつくためである。
【０００３】
ところが、上記の管同士の接続構造では、管をがたつき無く、ボルト頭部を突出させることなく、また管の肉厚を厚くすることなく、更にボルトを共回りをさせることなく締付けて管同士を接続できるといった利点を有するが、後の調査で、この構造をガードパイプに適用しようとした場合に、管である横桟の施工中に横桟の長さを変更して取付けなければならない時に、横桟端部にプレス成形した凹部と角孔とを施工現場で加工することができないといった不具合のあることが判明した。
【０００４】
そこで、特許文献１の発明者は、上記不具合の解消を図るべく、管と管を、それぞれの横桟端部に接続用インナースリーブを介在させるとともに、管端部と接続用インナースリーブのそれぞれに設けられた貫通孔に角根付ボルトを挿通、ナット締めして横桟同士を接続するのに用いる、角根付ボルト用座金であって、座金主体部が横桟外周面に沿う形状に形成されるとともに、角根付ボルトの頭部を収容する凹部と角根付ボルトの角根部に係合する角孔とを備えてなる座金を提案するに至った。
【０００５】
【特許文献１】特開２００３−１０６３３４号公報
【発明の開示】
【発明が解決しようとする課題】
【０００６】
しかしながら、上記の如き発明においては、発明者も記載しているように、施工現場で横桟端部を切断し、丸孔をあけた場合には、特別の部材である角根付ボルト用座金を用いる必要があり、施工現場毎にその座金を必要数量準備する必要があるので、在庫管理の手間や現場での数量管理など、種々の手間が生じてくると推測される。
【０００７】
そこで本発明は上記の如き問題点を解消し、施工現場において、横桟端部を切断し、横桟の所定の位置に丸孔の孔開け加工を行った場合においても、特別な部材を準備することなく、同じ形状のボルトを用いて、横桟と継手金具とを固定することができるボルトを提供せんとするものである。
【課題を解決するための手段】
【０００８】
上記目的を達成するために、本発明は次のような構成としている。
すなわち、本発明に係るボルトは、頭部と、頭部の下端面より突出された首部と、該首部の下端面より突出されたネジ部とからなり、前記頭部は上面がドーム状の湾曲面となされた平面視円形の側部が相対向して切欠されて二個の切欠部が形成され、前記首部はネジ部の外形より大きな外形の非円形断面となされたことを特徴とするものである。
【発明の効果】
【０００９】
本発明によれば、頭部と、頭部の下端面より突出された首部と、該首部の下端面より突出されたネジ部とからなり、前記頭部は上面がドーム状の湾曲面となされた平面視円形の側部が相対向して切欠されて二個の切欠部を形成し、前記首部はネジ部の外形より大きな外形の非円形断面となすようにすれば、工場等において横桟を製作する時に横桟端部に形成した、ボルト首部の非円形断面形状と同形の孔にボルトを挿通し横桟と継手金具とを固定する場合は、ネジ部の外形より大きな非円形断面の首部が孔に引っ掛かり、ボルトとナットとが共回りすることなく、横桟と継手金具とを効率よく固定することができ、また施工現場において、横桟端部を切断し、ハンドドリル等により所定の位置に穿設された丸孔にボルトを挿通し横桟と継手金具とを固定する場合には、ボルト頭部の側部に形成した切欠部を、スパナ等の工具で挟みナットを螺着することができるため、横桟端部を切断しない場合に用いるものと同一のボルトを用いて施工に対応でき、特殊座金等の特別な部材を用いることなく、また、特殊孔加工用の工具（設備）を現場に持ち込む手間もなく、横桟と継手金具とを固定することができ好ましい。
【発明を実施するための最良の形態】
【００１０】
本発明に係る実施の形態について、図面に基づき以下に具体的に説明する。
すなわち、図１は本発明に係るボルトの実施の一形態を示すものであって、（イ）は正面図、（ロ）は右側面図、（ハ）は左側面図、（ニ）は平面図、（ホ）は底面図、図２は本発明に係るボルトを用いて形成した柵の要部を拡大し下方から見た分解斜視図、図３は本発明に係るボルトを用いて形成した柵の要部を拡大し上方から見た分解斜視図である。
【００１１】
道路等に設置される柵は、間隔をおいて立設された支柱１間に長尺の横桟２が上下並行に間隔を開けて取付けられたものである（但し、図２においては、その要部を拡大して示す）。支柱１は、従来の柵に用いられているものと同様なものが用いられ、一般には外表面を塗装や合成樹脂で被覆した円形の鋼管から形成されているものであって、支柱１の側面に取付けられた金属製の継手金具３を介して横桟２が取付けられているものである。また、横桟２も、従来の防護柵に用いられているものと同様なものが用いられ、一般には外表面を塗装や合成樹脂で被覆した長尺の円形鋼管から形成されている。
【００１２】
継手金具３は、板材を側面視略馬蹄形状に折曲したものであって、支柱１の側面に当接する取付部３１が設けられ、その中央付近には横長形状のボルト孔３２が穿設され、前記ボルト孔に支柱１側から六角ボルトＢを挿通・螺着して継手金具３が支柱１に固定される。また、取付部３１の上端から前方に先端が下方に湾曲した上側支持部３３が延設され、取付部３１の下端からはこれに対向して、先端が上方に湾曲した下側支持部３４が前方に延設され、前記上側支持部３３及び下側支持部３４には上下方向にボルト４を挿通してインナースリーブ５を固定するための小判形状の横長孔３５、３６が穿設されている。
【００１３】
ボルト４は、頭部４１と、頭部４１の下端面より突出された首部４２と、該首部４２の下端面より突出されたネジ部４３とからなり、前記頭部４１は上面がドーム状の湾曲面となされた平面視円形の側部４４が相対向して切欠されて二個の切欠部４５が形成され、前記首部４２はネジ部４３の外形より大きな外形の非円形断面、本実施形態においては小判形状に形成されており、前記ネジ部の下部には雄ネジ４６が刻設されている。
【００１４】
そして、支柱１に固定された継手金具３の上側支持部３３及び下側支持部３４の間に断面略円形のインナースリーブ５を水平方向から挿入し、上方からボルト４を小判形状の横長孔３５、インナースリーブ通孔５１、及び小判形状の横長孔３６に挿通し、下方からナットＮを螺着して、インナースリーブ５が継手金具３を介して支柱１に固定される。
【００１５】
次に、インナースリーブ５の両側に横桟２、２端部を外挿して、上下方向にそれぞれ２個ずつのボルト４及びナットＮを挿通・螺着して、横桟２、２を継手金具３を介して支柱１に固定するのであるが、工場等において横桟２を製作する時に横桟２の端部に形成された小判形状の横長孔２１にボルト４を挿通し横桟２と継手金具３とを固定する場合は、ボルト４のネジ部４３外形より大きな非円形断面の首部４２が同形の小判形状の横長孔２１に引っ掛かり、ボルト４とナットＮとが共回りすることなく、横桟２と継手金具３とを効率よく固定することができる。
【００１６】
また、柵の施工現場において、横桟２端部を切断し、ハンドドリル等により所定の位置に穿設された小判形状の首部４２の長径より大きな径の丸孔にボルト４を挿通し横桟２と継手金具３とを固定する場合には、上記の場合と異なり、丸孔内に小判形状の首部４２が収容されるため、頭部４１下面が横桟の２外面に当接されておりボルト４が丸孔から落下することはないものの、螺着しようとすれば、ボルト４の小判形状の首部４２が丸孔に引っ掛からず、ナットＮを締め込んでもボルト４と共回りしてしまう。その際に、ボルト頭部４１の側部４４に形成した切欠部４５を、スパナ等の工具で挟みナットＮを螺着するようにすれば、ボルト４とナットＮとが共回りすることなく、横桟２の端部を切断しない場合に用いるものと同一のボルト４を用いて施工に対応でき、特殊座金等の特別な部材を用いることなく、また、特殊孔加工用の工具（設備）を施工現場に持ち込む手間もなく、横桟２と継手金具３とを固定することができるのである。
【００１７】
また、横桟２と継手金具３とを固定する際には、ボルト頭部４１の側部４４に形成した切欠部４５を横桟の長手方向に平行に配置してナットＮを螺着してもよいが、前記切欠部４５を横桟の円周方向（長手方向と直交する方向）に配置するようにすれば、平面視円形のボルト頭部４１の直径に比べボルト４の切欠部４５間の距離は小さい、すなわちボルト４の軸芯から側面４４までの距離に比べ切欠部４５までの距離が小さいため、横桟２に穿設された丸孔にボルト４を挿通した時、円形の横桟２外面とボルト頭部４１の下面縁端とに生じる隙間をより小さなものとなすことができ、外観上好ましく、また通行者が継手金具３近傍に衝突した際に衣服等を引っ掛けてしまう可能性を低減することができる。
【００１８】
尚、本形態において、ボルト４の首部４２、それに対応した横桟２端部に既設の横長孔２１及び継手金具３に穿設された横長孔３５、３６の形状は、小判形状となされているが、特にこの形状に限定されるものではなく、矩形となされてもよい。要は、横桟端部を切断することなく柵を施工する際に、ボルトとナットとが共回りしないように、ボルトの首部とそれに対応するそれぞれの孔の形状が同形でありさえすればよい。
【産業上の利用可能性】
【００１９】
本発明に係るボルトは、頭部と、頭部の下端面より突出された首部と、該首部の下端面より突出されたネジ部とからなり、前記頭部は上面がドーム状の湾曲面となされた平面視円形の側部が相対向して切欠されて二個の切欠部を形成し、前記首部はネジ部の外形より大きな外形の非円形断面となすようにすれば、工場等において横桟を製作する時に横桟端部に形成した、ボルト首部の非円形断面形状と同形の孔にボルトを挿通し横桟と継手金具とを固定する場合は、ネジ部の外形より大きな非円形断面の首部が孔に引っ掛かり、ボルトとナットとが共回りすることなく、横桟と継手金具とを効率よく固定することができ、また施工現場において、横桟端部を切断し、ハンドドリル等により所定の位置に穿設された丸孔にボルトを挿通し横桟と継手金具とを固定する場合には、ボルト頭部の側部に形成した切欠部を、スパナ等の工具で挟みナットを螺着することができるため、横桟端部を切断しない場合に用いるものと同一のボルトを用いて施工に対応でき、特殊座金等の特別な部材を用いることなく、また、特殊孔加工用の工具（設備）を現場に持ち込む手間もなく、横桟と継手金具とを固定することができるボルトとして、好適に利用することができる。
【図面の簡単な説明】
【００２０】
【図１】本発明に係るボルトの実施の一形態を示すものであって、（イ）は正面図、（ロ）は右側面図、（ハ）は左側面図、（ニ）は平面図、（ホ）は底面図である。
【図２】本発明に係るボルトを用いて形成した柵の要部を拡大し下方から見た分解斜視図である。
【図３】本発明に係るボルトを用いて形成した柵の要部を拡大し上方から見た分解斜視図である。
【符号の説明】
【００２１】
１      支柱
２      横桟
２１    横長孔
３      継手金具
３１    取付部
３２    ボルト孔
３３    上側支持部
３４    下側支持部
３５、３６    横長孔
４      ボルト
４１    頭部
４２    首部
４３    ネジ部
４４    側部
４５    切欠部
４６    雄ネジ
【図１】
2008039058.tif 000003
【図２】
2008039058.tif 000004
【図３】
2008039058.tif 000005